【手続補正書】
【提出日】平成25年8月28日(2013.8.28)
【手続補正１】
【補正対象書類名】特許請求の範囲
【補正対象項目名】請求項１
【補正方法】変更
【補正の内容】
【請求項１】
撮影光学系を介して入射した被写体像を光電変換して撮像信号を生成する撮像手段と、
前記撮像手段によって生成された前記撮像信号から撮影画面内の被写体を検出する被写体検出手段と、
前記被写体検出手段により検出された被写体から主被写体を選択する主被写体選択手段と、
前記主被写体選択手段により選択された主被写体の合焦状態、若しくは前記主被写体が撮影画面内に存在しない場合には当該撮影画面内の所定の被写体の合焦状態を検出する焦点検出手段と、
前記焦点検出手段により検出された合焦状態から焦点調節動作を実行する焦点調節手段と、
前記主被写体が存在するか否かに関わらず焦点調節動作を実行する第１の焦点調節モードと、前記主被写体が存在する場合にのみ前記焦点調節動作を実行する第２の焦点調節モードとを有するモード切替手段と、
前記主被写体が撮影画面内に存在するか否か、若しくは前記主被写体が変わったか否かを判定する判定手段と、
前記第２の焦点調節モードにおいて、前記判定手段により前記主被写体が撮影画面内に存在しないか、若しくは前記主被写体が変わったと判定された場合には、前記焦点調節動作を禁止する制御手段と、を有することを特徴とする撮像装置。
【手続補正２】
【補正対象書類名】特許請求の範囲
【補正対象項目名】請求項６
【補正方法】変更
【補正の内容】
【請求項６】
フォーカスレンズを含む撮影光学系を介して入射した被写体像を光電変換して撮像信号を生成する撮像手段と、
前記撮像手段によって生成された前記撮像信号から撮影画面内の被写体を検出する被写体検出手段と、
前記被写体検出手段により検出された被写体から主被写体を選択する主被写体選択手段と、
前記主被写体選択手段により選択された主被写体の合焦状態、若しくは前記主被写体が撮影画面内に存在しない場合には当該撮影画面内の所定の被写体の合焦状態を検出する焦点検出手段と、
前記焦点検出手段により検出された合焦状態から焦点調節動作を実行する焦点調節手段と、
前記主被写体が存在するか否かに関わらず焦点調節動作を実行する第１の焦点調節モードと、前記主被写体が存在する場合にのみ前記焦点調節動作を実行する第２の焦点調節モードとを有するモード切替手段と、
前記主被写体が撮影画面内に存在するか否か、若しくは前記主被写体が変わったか否かを判定する判定手段と、
前記判定手段により前記主被写体が撮影画面内に存在しないか、若しくは前記主被写体が変わったと判定された場合には、前記第２の焦点調節モードと比較して、前記第１の焦点調節モードの前記フォーカスレンズの移動量を大きくする制御手段と、を有することを特徴とする撮像装置。
【手続補正３】
【補正対象書類名】特許請求の範囲
【補正対象項目名】請求項８
【補正方法】変更
【補正の内容】
【請求項８】
撮影光学系を介して入射した被写体像を光電変換して撮像信号を生成する撮像手段を有する撮像装置の制御方法であって、
前記撮像手段によって生成された前記撮像信号から撮影画面内の被写体を検出する被写体検出工程と、
前記被写体検出工程により検出された被写体から主被写体を選択する主被写体選択工程と、
前記主被写体選択工程により選択された主被写体の合焦状態、若しくは前記主被写体が撮影画面内に存在しない場合には当該撮影画面内の所定の被写体の合焦状態を検出する焦点検出工程と、
前記焦点検出工程により検出された合焦状態から焦点調節動作を実行する焦点調節工程と、
前記主被写体が存在するか否かに関わらず焦点調節動作を実行する第１の焦点調節モードと、前記主被写体が存在する場合にのみ前記焦点調節動作を実行する第２の焦点調節モードとを有するモード切替工程と、
前記主被写体が撮影画面内に存在するか否か、若しくは前記主被写体が変わったか否かを判定する判定工程と、
前記第２の焦点調節モードにおいて、前記判定工程により前記主被写体が撮影画面内に存在しないか、若しくは前記主被写体が変わったと判定された場合には、前記焦点調節動作を禁止する制御工程と、を有することを特徴とする制御方法。
【手続補正４】
【補正対象書類名】特許請求の範囲
【補正対象項目名】請求項９
【補正方法】変更
【補正の内容】
【請求項９】
フォーカスレンズを含む撮影光学系を介して入射した被写体像を光電変換して撮像信号を生成する撮像手段を有する撮像装置の制御方法であって、
前記撮像手段によって生成された前記撮像信号から撮影画面内の被写体を検出する被写体検出工程と、
前記被写体検出工程により検出された被写体から主被写体を選択する主被写体選択工程と、
前記主被写体選択工程により選択された主被写体の合焦状態、若しくは前記主被写体が撮影画面内に存在しない場合には当該撮影画面内の所定の被写体の合焦状態を検出する焦点検出工程と、
前記焦点検出工程により検出された合焦状態から焦点調節動作を実行する焦点調節工程と、
前記主被写体が存在するか否かに関わらず焦点調節動作を実行する第１の焦点調節モードと、前記主被写体が存在する場合にのみ前記焦点調節動作を実行する第２の焦点調節モードとを有するモード切替工程と、
前記主被写体が撮影画面内に存在するか否か、若しくは前記主被写体が変わったか否かを判定する判定工程と、
前記判定工程により前記主被写体が撮影画面内に存在しないか、若しくは前記主被写体が変わったと判定された場合には、前記第２の焦点調節モードと比較して、前記第１の焦点調節モードの前記フォーカスレンズの移動量を大きくする制御工程と、を有することを特徴とする制御方法。
【手続補正５】
【補正対象書類名】明細書
【補正対象項目名】０００８
【補正方法】変更
【補正の内容】
【０００８】
上記課題を解決し、目的を達成するために、本発明の撮像装置は、撮影光学系を介して入射した被写体像を光電変換して撮像信号を生成する撮像手段と、前記撮像手段によって生成された前記撮像信号から撮影画面内の被写体を検出する被写体検出手段と、前記被写体検出手段により検出された被写体から主被写体を選択する主被写体選択手段と、前記主被写体選択手段により選択された主被写体の合焦状態、若しくは前記主被写体が撮影画面内に存在しない場合には当該撮影画面内の所定の被写体の合焦状態を検出する焦点検出手段と、前記焦点検出手段により検出された合焦状態から焦点調節動作を実行する焦点調節手段と、前記主被写体が存在するか否かに関わらず焦点調節動作を実行する第１の焦点調節モードと、前記主被写体が存在する場合にのみ前記焦点調節動作を実行する第２の焦点調節モードとを有するモード切替手段と、前記主被写体が撮影画面内に存在するか否か、若しくは前記主被写体が変わったか否かを判定する判定手段と、前記第２の焦点調節モードにおいて、前記判定手段により前記主被写体が撮影画面内に存在しないか、若しくは前記主被写体が変わったと判定された場合には、前記焦点調節動作を禁止する制御手段と、を有する。
【手続補正６】
【補正対象書類名】明細書
【補正対象項目名】００２１
【補正方法】変更
【補正の内容】
【００２１】
顔検出部１１６は本発明の被写体検出手段を構成し、映像信号に対して公知の顔検出処理を施して、撮影画面内の人物の顔領域を検出する。その検出結果をマイコン１１４に送出する。マイコン１１４は、上記検出結果に基づき、撮影画面内の顔領域を含む位置に焦点検出に用いられる領域を追加するようにＡＦ検出部１１２へ情報を送出する。ここで、顔検出部１１６から複数の人物の顔領域を検出した場合には、顔領域の位置、大きさに応じて優先順位をつける主顔判定処理部があり、主顔判定処理部によって優先順位が第１位となった顔を主顔とする。
【手続補正７】
【補正対象書類名】明細書
【補正対象項目名】００２３
【補正方法】変更
【補正の内容】
【００２３】
また、ビデオカメラ１００にはズームキー１１７が設けられており、撮影者はズームキー１１７を操作することができる。ズームキー１１７の操作に対応して、マイコン１１４がズーム駆動部１１０を制御することにより変倍レンズ１０２が移動し、これによりズーム倍率が変倍される。
【手続補正８】
【補正対象書類名】明細書
【補正対象項目名】００３０
【補正方法】変更
【補正の内容】
【００３０】
本実施形態では、顔検出ＡＦモードとして、図５に示す２つの顔検出ＡＦモードを選択できる。第１の焦点調節モードとしての第１の顔検出ＡＦモードは、撮影画面内に顔が存在する場合には顔に対して、顔が存在しない場合には、画面中央の被写体に対して常にピント合わせを行う。第２の焦点調節モードとしての第２の顔検出ＡＦモードは、撮影画面内に顔が存在する場合にのみ顔に対してピント合わせを行う。つまり、第１の顔検出ＡＦモードは、顔が存在する場合には、顔に対して追従してピント合わせを行い、顔が存在しない場合には、画面中央に対してピント合わせを行うことで、常に画面内のいずれかの被写体に対して素早くピント合わせを行うことが可能である。また、第２の顔検出ＡＦモードは、撮影画面内に顔が存在する場合にのみ、顔に追従して安定してピント合わせを行い、顔が存在しなくなった場合には、ピント合わせを禁止する。これにより、顔がフレームアウトした場合に素早く背景にピント合わせを行ってしまい、ピント面が動くことにより編集時にカットしにくい映像となってしまうことを防ぐことができる。このように、撮影者の意図に適した第１及び第２の顔検出ＡＦモードを有し、撮影者が自ら撮影シーンに合わせて選択することにより、撮影者に最適なＡＦ制御を提供することができる。
【手続補正９】
【補正対象書類名】明細書
【補正対象項目名】００４８
【補正方法】変更
【補正の内容】
【００４８】
ステップＳ３０１での判定の結果、モードが微小駆動モードであるときは（Ｓ３０３でＹＥＳ）、フォーカスレンズ１０５を微小駆動する（Ｓ３０４）。微小駆動については、後に図６を用いて説明する。
【手続補正１０】
【補正対象書類名】図面
【補正対象項目名】図１０
【補正方法】変更
【補正の内容】
【図１０】
2012048156.tif 000001